(57)【要約】【課題】陽極体の外周面の複数箇所から陽極リードが引き出されているコンデンサ素子を具えた固体電解コンデンサにおいて、その製造の効率化と該固体電解コンデンサの低ＥＳＲ化及び／又は低ＥＳＬ化とを実現する。【解決手段】本発明に係る固体電解コンデンサにおいては、陽極端子面30が、陰極端子面40から所定方向91へ離間して配置されている。ここで、コンデンサ素子１においては、陽極体の外周面に、互いに略対向する第１面及び第２面が含まれ、該第１面と第２面の両面から陽極リード12が引き出されている。そして、陽極端子３及び陰極端子４上には、コンデンサ素子１が、その陽極リード12の２つの引出し部121，121をそれぞれ前記所定方向91に対して略垂直な方向及びそれとは反対の方向へ向けた姿勢で搭載されている。【選択図】図１
2012033603.tif 000002
【特許請求の範囲】
【請求項１】
２つの陽極部と陰極部とを有するコンデンサ素子と、該コンデンサ素子を被覆する外装部材とを具え、コンデンサ素子の２つの陽極部には陽極端子が電気的に接続され、該陽極端子の表面の一部を外装部材の下面に露出させることによって、外装部材の下面に陽極端子面が形成される一方、コンデンサ素子の陰極部には陰極端子が電気的に接続され、該陰極端子の表面の一部を外装部材の下面に露出させることによって、外装部材の下面に陰極端子面が形成されており、前記陽極端子面が、陰極端子面から所定方向へ離間して配置された固体電解コンデンサにおいて、
前記コンデンサ素子は、陽極体と、該陽極体に植立された陽極リードとを具え、前記陽極体の外周面には、互いに略対向する第１面及び第２面が含まれ、該第１面と第２面の両面から前記陽極リードが引き出されており、前記陽極体の外周面の少なくとも一部に誘電体層が形成され、該誘電体層上に電解質層が形成され、該電解質層上に陰極層が形成され、前記陽極リードの内、陽極体の第１面と第２面の両面から引き出された２つの引出し部によって前記２つの陽極部が構成される一方、前記陰極層によって前記陰極部が構成されており、
前記陽極端子及び陰極端子上には、コンデンサ素子が、その陽極リードの２つの引出し部をそれぞれ前記所定方向に対して略垂直な方向及びそれとは反対の方向へ向けた姿勢で搭載されていることを特徴とする固体電解コンデンサ。
【請求項２】
前記外装部材内には、前記陽極端子から逆Ｌ字状に延びて該陽極端子と陽極リードの各引出し部とを互いに電気的に接続する電気接続部が設けられている請求項１に記載の固体電解コンデンサ。
【請求項３】
前記電気接続部は、陽極端子面の外周縁の内、陰極端子面側の２箇所から逆Ｌ字状に延びており、各電気接続部は、陽極端子の一部を逆Ｌ字状に屈曲変形させることにより形成されたものである請求項２に記載の固体電解コンデンサ。
【請求項４】
前記コンデンサ素子は、１本の陽極リードが、陽極体を貫通することにより、該陽極体の第１面と第２面の両面から引き出されたものである請求項１乃至請求項３の何れかに記載の固体電解コンデンサ。
【発明の詳細な説明】
【技術分野】
【０００１】
本発明は、リードタイプのコンデンサ素子を具えた固体電解コンデンサに関する。
【背景技術】
【０００２】
図１９は、従来の固体電解コンデンサを示した断面図である。図１９に示す様に、従来の固体電解コンデンサは、リードタイプのコンデンサ素子(200)と、陽極端子(260)と、陰極端子(270)とを具え、これらが外装部材(280)内に埋設されている（例えば、特許文献１参照）。陽極端子(260)及び陰極端子(270)はそれぞれ、表面の一部を外装部材(280)の下面(280a)に露出させており、これによって、外装部材(280)の下面(280a)に、固体電解コンデンサの陽極端子面(261)及び陰極端子面(271)が形成されている。そして、陽極端子面(261)は、陰極端子面(271)から所定方向(293)へ離間して配置されている。
【０００３】
ここで、リードタイプのコンデンサ素子(200)は、直方体状の陽極体(211)に陽極リード(212)を植立して構成された陽極焼結体(210)と、該陽極焼結体(210)の外周面上に形成された誘電体層(220)と、該誘電体層(220)上に形成された電解質層(230)と、該電解質層(230)上に形成された陰極層(240)とを具えている。具体的には、陽極体(211)の外周面は、陽極リード(212)が引き出された第１面(211a)と、該第１面(211a)とは反対側の第２面(211b)と、第１面(211a)の外周縁から第２面(211b)の外周縁まで延びる側面(211c)とから構成されている。そして、誘電体層(220)は、陽極焼結体(210)の外周面の内、陽極体(211)の外周面の全領域（第１面(211a)、第２面(211b)、及び側面(211c)）と、陽極リード(212)の引出し部(212a)の根元の表面とに形成されている。又、陰極層(240)は、電解質層(230)の内、陽極体(211)の第２面(211b)及び側面(211c)を覆った領域上に形成されており、カーボン層（図示せず）と、該カーボン層上に形成された銀ペースト層（図示せず）とによって構成されている。
【０００４】
図１９に示す様に、従来の固体電解コンデンサにおいては、陽極端子(260)及び陰極端子(270)上に、コンデンサ素子(200)が、その陽極リード(212)の引出し部(212a)を前記所定方向(293)へ向けた姿勢で搭載され、陽極リード(212)の引出し部(212a)と陽極端子(260)とが、導電性を有する枕部材(262)を介して互いに電気的に接続される一方、陰極層(240)の一部と陰極端子(270)とが、コンデンサ素子(200)の素子本体の下面と陰極端子(270)との間に導電性接着剤（図示せず）を介在させることにより、互いに電気的に接続されている。ここで、コンデンサ素子(200)の素子本体は、陽極体(211)と、該陽極体(211)上に形成された誘電体層(220)、電解質層(230)、及び陰極層(240)とによって構成されたものであり、該素子本体の外周面に陰極層(240)が露出している。
【先行技術文献】
【特許文献】
【０００５】
【特許文献１】特開２００８−９１７８４号公報
【発明の概要】
【発明が解決しようとする課題】
【０００６】
従来、コンデンサ素子(200)の陽極リード(212)は、陽極体(211)の外周面上の１箇所から引き出されているに過ぎなかった。このため、陽極体(211)と陽極端子面(261)間に生じる電気抵抗及び／又はインダクタンスが大きく、固体電解コンデンサのＥＳＲ（等価直列抵抗）及び／又はＥＳＬ（等価直列インダクタンス）が大きくなっていた。
【０００７】
そこで、上記固体電解コンデンサにおいて、コンデンサ素子(200)の陽極体(211)の第１面(211a)上の２箇所に陽極リード(212)を植立して、該第１面(211a)から各陽極リード(212)を引出し、該陽極リード(212)の引出し部(212a)を陽極端子(260)に電気的に接続した構成が考えられている。この構成によれば、陽極リード(212)の本数が増えた分、陽極体(211)と陽極端子面(261)間に生じる電気抵抗及び／又はインダクタンスが小さくなり、固体電解コンデンサのＥＳＲ及び／又はＥＳＬが低減されることになる。しかしながら、上記固体電解コンデンサにおいては、陽極体(211)に対して２本の陽極リード(212)(212)を植立する必要があるため、コンデンサ素子(200)の製造が煩雑であった。
【０００８】
一方で、近年、図１９に示すコンデンサ素子(200)において、陽極体(211)の第１面(211a)だけでなく、陽極体(211)の第２面(211b)からも陽極リード(212)を引き出した構成が考えられている。この構成によれば、１本の陽極リード(212)を、陽極体(211)の第１面(211a)と第２面(211b)の両面から引き出すだけでよいので、コンデンサ素子(200)の製造が容易である。しかしながら、このコンデンサ素子(200)を、従来の固体電解コンデンサと同様に、第１面(211a)からの陽極リード(212)の引出し部(212a)を前記所定方向(293)へ向けた姿勢で陽極端子(260)及び陰極端子(270)上に搭載した場合、第２面(211b)からの陽極リード(212)の引出し部が前記所定方向(293)とは反対の方向を向くことになる。
【０００９】
このため、該引出し部と陽極端子面(261)との間の距離が大きくなり、又、該引出し部と陽極端子面(261)とを長さ寸法の大きい何らかの接続手段によって電気的に接続する必要が生じ、従って、該引出し部と陽極端子面(261)との間の電気抵抗及び／又はインダクタンスが、接続手段の電気抵抗及び／又はインダクタンスの分だけ大きくなってしまう。よって、固体電解コンデンサの低ＥＳＲ化及び／又は低ＥＳＬ化を実現するべく、陽極リード(212)を陽極体(211)の第１面(211a)と第２面(211b)の両面から引き出したにも拘わらず、固体電解コンデンサにおけるコンデンサ素子(200)の従来の搭載姿勢をそのまま採用したのでは、固体電解コンデンサのＥＳＲ及び／又はＥＳＬは、陽極体(211)の第１面(211a)上の２箇所から陽極リード(212)を引き出した構成ほどは顕著に低減されない。
【００１０】
上記固体電解コンデンサにおいて、陽極端子面(261)の形状を変更することにより、第２面(211b)からの陽極リード(212)の引出し部と陽極端子面(261)との間の距離を縮めることが出来るが、陽極端子面(261)の形状を従来の形状から変更する必要が生じる。
【００１１】
そこで本発明の目的は、陽極体の外周面の複数箇所から陽極リードが引き出されているコンデンサ素子を具えた固体電解コンデンサにおいて、その製造の効率化と該固体電解コンデンサの低ＥＳＲ化及び／又は低ＥＳＬ化とを実現することである。
【課題を解決するための手段】
【００１２】
本発明に係る固体電解コンデンサは、２つの陽極部と陰極部とを有するコンデンサ素子と、該コンデンサ素子を被覆する外装部材とを具え、コンデンサ素子の２つの陽極部には陽極端子が電気的に接続され、該陽極端子の表面の一部を外装部材の下面に露出させることによって、外装部材の下面に陽極端子面が形成される一方、コンデンサ素子の陰極部には陰極端子が電気的に接続され、該陰極端子の表面の一部を外装部材の下面に露出されることによって、外装部材の下面に陰極端子面が形成されており、前記陽極端子面が、陰極端子面から所定方向へ離間して配置されている。ここで、前記コンデンサ素子は、陽極体と、該陽極体に植立された陽極リードとを具え、前記陽極体の外周面には、互いに略対向する第１面及び第２面が含まれ、該第１面と第２面の両面から前記陽極リードが引き出されており、前記陽極体の外周面の少なくとも一部に誘電体層が形成され、該誘電体層上に電解質層が形成され、該電解質層上に陰極層が形成され、前記陽極リードの内、陽極体の第１面と第２面の両面から引き出された２つの引出し部によって前記２つの陽極部が構成される一方、前記陰極層によって前記陰極部が構成されている。そして、前記陽極端子及び陰極端子上には、コンデンサ素子が、その陽極リードの２つの引出し部をそれぞれ前記所定方向に対して略垂直な方向及びそれとは反対の方向へ向けた姿勢で搭載されている。
【００１３】
上記固体電解コンデンサにおいては、陽極端子面の形状を従来の形状から変更しなくても、陽極リードの２つの引出し部と陽極端子面との間の距離をそれぞれ略同一にすることが出来る。従って、該距離が、陽極体の表面の１箇所から陽極リードが引き出されているに過ぎない従来の固体電解コンデンサについての陽極リードの引出し部と陽極端子面との間の距離と同程度となる様に、コンデンサ素子を陽極端子及び陰極端子上に搭載することにより、陽極リードの引出し部の本数が増えた分、陽極体と陽極端子面間に生じる電気抵抗及び／又はインダクタンスが小さくなり、その結果、固体電解コンデンサの低ＥＳＲ化及び／又は低ＥＳＬ化が実現されることになる。
【００１４】
上記固体電解コンデンサの具体的構成において、前記外装部材内には、前記陽極端子から逆Ｌ字状に延びて該陽極端子と陽極リードの各引出し部とを互いに電気的に接続する電気接続部が設けられている。
【００１５】
上記具体的構成においては、陽極端子の上面からの陽極リードの引出し部の高さ位置に応じて、各電気接続部の高さ寸法を変化させることが出来る。従って、陽極端子の上面からの陽極リードの引出し部の高さ位置に応じて各電気接続部の高さ寸法を調整することによって、該電気接続部の先端部を、これに対応する陽極リードの引出し部に確実に接触させることが出来る。よって、上記具体的構成によれば、陽極端子と陽極リードの各引出し部との電気的な接続状態が良好である。
【００１６】
上記固体電解コンデンサのより具体的な構成において、前記電気接続部は、陽極端子面の外周縁の内、陰極端子面側の２箇所から逆Ｌ字状に延びており、各電気接続部は、陽極端子の一部を逆Ｌ字状に屈曲変形させることにより形成されたものである。
【００１７】
上記具体的構成によれば、陽極端子に対して折り曲げ加工を施すことにより、各電気接続部を容易に形成することが出来る。又、陽極端子の折り曲げ位置を変えるだけで、電気接続部の高さ寸法を容易に変化させることが出来る。
【００１８】
上記固体電解コンデンサの他の具体的構成において、前記コンデンサ素子は、１本の陽極リードが、陽極体を貫通することにより、該陽極体の第１面と第２面の両面から引き出されたものである。
【００１９】
上記具体的構成によれば、１本の陽極リードを、陽極体の第１面と第２面の両面から引き出すだけでよいので、コンデンサ素子の製造が容易である。従って、固体電解コンデンサを効率的に製造することが可能となる。
【発明の効果】
【００２０】
本発明に係る固体電解コンデンサによれば、その製造の効率化と該固体電解コンデンサの低ＥＳＲ化及び／又は低ＥＳＬ化とが実現される。
【図面の簡単な説明】
【００２１】
【図１】図１は、本発明の一実施形態に係る固体電解コンデンサを示した斜視図である。
【図２】図２は、図１に示されるＡ−Ａ線に沿う断面図である。
【図３】図３は、図１に示されるＢ−Ｂ線に沿う断面図である。
【図４】図４は、上記固体電解コンデンサの上面図である。
【図５】図５は、該固体電解コンデンサを、上記コンデンサ素子が具える陽極リードの延在方向から見た側面図である。
【図６】図６は、該固体電解コンデンサを、上記コンデンサ素子が具える陽極リードの延在方向に対して垂直な方向から見た側面図である。
【図７】図７は、上記固体電解コンデンサの製造方法について、その素子作製工程の第１工程の説明に用いられる斜視図である。
【図８】図８は、該素子作製工程の第２工程の内、取付け工程の説明に用いられる側面図である。
【図９】図９は、該素子作製工程の第２工程の内、上記コンデンサ素子の誘電体層を形成する工程の説明に用いられる図である。
【図１０】図１０は、該素子作製工程の第２工程の内、上記コンデンサ素子の電解質層を形成する工程の説明に用いられる図である。
【図１１】図１１（ａ）〜図１１（ｄ）は、該素子作製工程の第２工程の内、上記コンデンサ素子の陰極層を形成する工程の説明に用いられる図である。
【図１２】図１２は、陽極構造物を、そのリード基材の延在方向から見た平面図である。
【図１３】図１３（ａ）及び図１３（ｂ）は、該素子作製工程の第３工程の説明に用いられる斜視図である。
【図１４】図１４は、上記固体電解コンデンサの製造方法について、その端子作製工程及び素子搭載工程の説明に用いられる斜視図である。
【図１５】図１５（ａ）及び図１５（ｂ）は、上記素子作製工程の第２工程の内、コンデンサ素子の陰極層を形成する工程について、その変形例の説明に用いられる図である。
【図１６】図１６は、陽極構造物の一例を、そのリード基材の延在方向から見た平面図である。
【図１７】図１７は、陽極構造物の他の例を、そのリード基材の延在方向から見た平面図である。
【図１８】図１８は、リード基材の中心軸からの各種距離を示した平面図である。
【図１９】図１９は、従来の固体電解コンデンサを示した断面図である。
【発明を実施するための形態】
【００２２】
以下、本発明の実施の形態につき、図面に沿って具体的に説明する。
図１は、本発明の一実施形態に係る固体電解コンデンサを示した斜視図である。図１に示す様に、該固体電解コンデンサは、固体電解型のコンデンサ素子(１)と、該コンデンサ素子(１)を被覆する外装部材(２)と、陽極端子(３)と、陰極端子(４)とを具えている。尚、外装部材(２)は、エポキシ樹脂等の樹脂から形成されている。
【００２３】
図２及び図３はそれぞれ、図１に示されるＡ−Ａ線及びＢ−Ｂ線に沿う断面図である。図２及び図３に示す様に、コンデンサ素子(１)は、直方体状の陽極体(11)と、該陽極体(11)に植立された円柱状の陽極リード(12)とを具えている。ここで、陽極体(11)の外周面は、互いに略対向する第１面(11a)及び第２面(11b)と、第１面(11a)の外周縁から第２面(11b)の外周縁まで延びる側面(11c)とから構成されており、陽極体(11)の第１面(11a)と第２面(11b)の両面から陽極リード(12)が引き出されている。具体的には、陽極リード(12)は、その中央部(122)が陽極体(11)内に埋設された１本の金属ワイヤであって、陽極体(11)の第１面(11a)と第２面(11b)の両面から陽極体(11)外へ引き出された２つの引出し部(121)(121)を有している。斯くして、陽極リード(12)は、陽極体(11)を貫通することにより、該陽極体(11)の第１面(11a)と第２面(11b)の両面から引き出されている。
【００２４】
又、陽極体(11)は、弁作用金属からなる多孔質焼結体から構成される一方、陽極リード(12)は、陽極体(11)を構成している弁作用金属と同種又は異種の弁作用金属から形成されており、陽極体(11)と陽極リード(12)とは互いに電気的に接続されている。尚、陽極体(11)及び陽極リード(12)を構成する弁作用金属には、例えばタンタル、ニオブ、チタン、アルミニウム等の金属が用いられる。
【００２５】
図２及び図３に示す様に、コンデンサ素子(１)は更に、陽極体(11)の外周面上に形成された誘電体層(13)と、該誘電体層(13)上に形成された電解質層(14)と、該電解質層(14)上に形成された陰極層(15)とを具えている。
【００２６】
誘電体層(13)は、陽極体(11)の外周面に形成された酸化被膜と、陽極リード(12)の２つの引出し部(121)(121)の根元の表面に形成された酸化被膜とから構成されている。従って、陽極リード(12)の各引出し部(121)の先端部は、その表面が、誘電体層(13)に被覆されずに露出している。ここで、誘電体層(13)を構成するこれらの酸化被膜は、陽極体(11)と陽極リード(12)から構成された陽極構成体(10)をリン酸水溶液やアジピン酸水溶液等の電解溶液に浸漬させ、該陽極構成体(10)の外周面を電気化学的に酸化させること（陽極酸化）により形成される。尚、誘電体層(13)の形成方法の詳細については後述する。
【００２７】
電解質層(14)は、誘電体層(13)上で固化させることが可能な電解質材料、例えば、二酸化マンガン等の導電性無機材料、ＴＣＮＱ（Tetracyano-quinodimethane）錯塩や導電性ポリマー等の導電性有機材料を用いて形成される。尚、電解質層(14)の形成方法の詳細については後述する。
【００２８】
図３に示す様に（図１も参照）、陽極体(11)の外周面には、陽極リード(12)の引出し位置を含んで陽極体(11)を包囲する帯状の所定領域Ｒ０が設定されている。具体的には、該所定領域Ｒ０は、陽極体(11)の第１面(11a)及び第２面(11b)、更には陽極体(11)の上面及び下面に沿って延びた帯状の領域である。そして、電解質層(14)の外周面には、該所定領域Ｒ０の上方に位置する第１領域Ｒ１と、該第１領域Ｒ１とは異なる第２領域Ｒ２とが存在している。
【００２９】
陰極層(15)は、電解質層(14)の第１領域Ｒ１上には形成されずに、電解質層(14)の第２領域Ｒ２上に形成されている。ここで、陰極層(15)は、電解質層(14)の第２領域Ｒ２上に形成されたカーボン層（図示せず）と、該カーボン層上に形成された銀ペースト層（図示せず）とから構成されている。そして、電解質層(14)と陰極層(15)とは互いに電気的に接続されている。尚、陰極層(15)の形成方法の詳細については後述する。
【００３０】
上記コンデンサ素子(１)においては、陽極リード(12)の２つの引出し部(121)(121)によって、コンデンサ素子(１)の２つの陽極部が構成される一方、陰極層(15)によってコンデンサ素子(１)の陰極部が構成されており、該２つの陽極部と陰極部との間に誘電体層(13)及び電解質層(14)が介在している。又、上記コンデンサ素子(１)においては、陽極体(11)と、該陽極体(11)上に形成された誘電体層(13)、電解質層(14)、及び陰極層(15)とによって、該コンデンサ素子(１)の素子本体が構成され、該素子本体の外周面に陰極層(15)が露出する一方、該素子本体の外周面上の２箇所から陽極リード(12)が引き出されている。以下では、該素子本体の外周面の内、陽極リード(12)が引き出されている面をそれぞれ、コンデンサ素子(１)の第１引出し面(1a)及び第２引出し面(1b)と称す。
【００３１】
図３に示す様に、陽極端子(３)及び陰極端子(４)は、外装部材(２)内に埋設されている。そして、陽極端子(３)の表面の一部を外装部材(２)の下面(2a)に露出させることによって、外装部材(２)の下面(2a)に陽極端子面(30)が形成される一方、陰極端子(４)の表面の一部を外装部材(２)の下面(2a)に露出させることによって、外装部材(２)の下面(2a)に陰極端子面(40)が形成されており、陽極端子面(30)は、陰極端子面(40)から所定方向(91)へ離間して配置されている。
【００３２】
図４は、上記固体電解コンデンサの上面図である。又、図５及び図６はそれぞれ、該固体電解コンデンサを陽極リード(12)の延在方向及びこれに対して垂直な方向から見た側面図である。図４に示す様に、陽極端子(３)及び陰極端子(４)上には、コンデンサ素子(１)が、その陽極リード(12)の２つの引出し部(121)(121)をそれぞれ前記所定方向(91)に対して略垂直な方向及びそれとは反対の方向へ向けた姿勢で搭載されている。
【００３３】
ここで、図１及び図５に示す様に、外装部材(２)内には、陽極端子(３)に連設されて該陽極端子(３)から逆Ｌ字状に延びた２つの第１電気接続部(31)(31)が設けられている。具体的には、２つの第１電気接続部(31)(31)の内、一方の第１電気接続部(31)は、コンデンサ素子(１)の第１引出し面(1a)側を陽極端子(３)から逆Ｌ字状に延び、他方の第１電気接続部(31)は、コンデンサ素子(１)の第２引出し面(1b)側を陽極端子(３)から逆Ｌ字状に延びている。そして、各第１電気接続部(31)は、その先端部(310)を前記所定方向(91)とは反対の方向へ向けた姿勢を有している。
【００３４】
本実施形態においては、第１電気接続部(31)(31)は、陽極端子面(30)の外周縁の内、陰極端子面(40)側の２箇所から逆Ｌ字状に延びており、各第１電気接続部(31)は、陽極端子(３)の一部を逆Ｌ字状に屈曲変形させることにより形成されたものである。
【００３５】
そして、図２及び図６に示す様に、各第１電気接続部(31)の先端部(310)と陽極リード(12)の引出し部(121)とが、これらの接合面に溶接を施すことによって形成された接合部(32)を介して、互いに電気的に接続されている。斯くして、陽極リード(12)の各引出し部(121)と陽極端子(３)とは、該引出し部(121)に対応する第１電気接続部(31)と接合部(32)とを介して互いに電気的に接続されている。
【００３６】
図１及び図５に示す様に、外装部材(２)内には更に、陰極端子(４)に連設されて該陰極端子(４)から逆Ｌ字状に延びた第２電気接続部(41)が設けられている。具体的には、第２電気接続部(41)は、コンデンサ素子(１)の素子本体の下面(1c)側を陰極端子(４)から逆Ｌ字状に延びると共に、該第２電気接続部(41)の先端部(410)を前記所定方向(91)へ向けた姿勢を有している。
【００３７】
本実施形態においては、第２電気接続部(41)は、陰極端子面(40)の外周縁の内、陽極端子面(30)側の１箇所から逆Ｌ字状に延びており、第２電気接続部(41)は、陰極端子(４)の一部を逆Ｌ字状に屈曲変形させることにより形成されたものである。
【００３８】
そして、図２及び図３に示す様に、コンデンサ素子(１)の素子本体の下面(1c)と第２電気接続部(41)との間には導電性接着剤(42)が介在しており、これによって、コンデンサ素子(１)の陰極層(15)の一部と第２電気接続部(41)とが、導電性接着剤(42)を介して互いに電気的に接続されている。斯くして、コンデンサ素子(１)の陰極層(15)と陰極端子(４)とは、第２電気接続部(41)と導電性接着剤(42)とを介して互いに電気的に接続されている。
【００３９】
ここで、図３に示す様に、電解質層(14)の外周面上の第１領域Ｒ１には、陰極層(15)が形成されていない。従って、コンデンサ素子(１)の素子本体の下面(1c)には、電解質層(14)の第１領域Ｒ１が露出している。その一方で、コンデンサ素子(１)の素子本体の下面(1c)と第２電気接続部(41)との間に導電性接着剤(42)が介在することにより、電解質層(14)の第１領域Ｒ１と第２電気接続部(41)との間にも導電性接着剤(42)が介在している。よって、導電性接着剤(42)の一部が、電解質層(14)の第１領域Ｒ１を被覆してコンデンサ素子(１)の陰極層(15)として機能しており、これにより、コンデンサ素子(１)と陰極端子(４)との電気的な接続面積が増大している。
【００４０】
次に、上記固体電解コンデンサの製造方法について、図面に沿って具体的に説明する。該製造方法においては、素子作製工程、端子作製工程、素子搭載工程、及び外装形成工程が順に実行される。
【００４１】
素子作製工程は、コンデンサ素子(１)を作製する工程であり、素子作製工程においては、第１工程、第２工程、及び第３工程が順に実行される。
図７は、素子作製工程の第１工程の説明に用いられる斜視図である。図７に示す様に、素子作製工程の第１工程では、複数の陽極構成体(10)〜(10)となる陽極構造物(５)を作製する。ここで、陽極構造物(５)は、複数の陽極リード(12)〜(12)となるリード基材(50)と、複数の陽極体(11)〜(11)とから構成されており、リード基材(50)の複数箇所に、陽極体(11)が、その第１面(11a)と第２面(11b)の両面がリード基材(50)によって貫かれた状態で形成されている。
【００４２】
具体的には、上記第１工程では先ず、金型内に金属粉末を充填し、該金属粉末を押し固めることにより、陽極体(11)となる粉末成型体をリード基材(50)の複数箇所に形成する。ここで、各粉末成型体は、リード基材(50)によって貫かれた状態を有している。次に、リード基材(50)と共に、該リード基材(50)に形成された複数の粉末成型体を焼成することにより、各粉末成型体を焼結させて陽極体(11)を形成する。これによって、陽極構造物(５)が完成する。
【００４３】
又、上記第１工程で使用されるリード基材(50)には、陽極体(11)の形成位置が、コンデンサ素子(１)において陽極体(11)の第１面(11a)と第２面(11b)の両面から引き出されることとなる陽極リード(12)の引出し部(121)(121)の長さ寸法に応じて設定されている。そして、第１工程では、リード基材(50)上に設定された各形成位置に陽極体(11)が形成される。
【００４４】
具体的には、図７に示す様に、隣接する２つの陽極体(11)(11)間のリード基材(50)の長さ寸法ｄが、コンデンサ素子(１)の陽極リード(12)の２つの引出し部(121)(121)の長さ寸法の和より、後述する素子作製工程の第３工程（図１３(ａ)及び図１３（ｂ）参照）で必要とされる切断代の分だけ長く設定されている。
【００４５】
素子作製工程の第２工程においては、取付け工程、コンデンサ素子(１)の誘電体層(13)を形成する工程、コンデンサ素子(１)の電解質層(14)を形成する工程、及びコンデンサ素子(１)の陰極層(15)を形成する工程が順に実行される。
図８は、素子作製工程の第２工程の内、取付け工程の説明に用いられる側面図である。図８に示す様に、取付け工程では、導電性を有するキャリアバー(６)を用意し、該キャリアバー(６)に陽極構造物(５)を、該陽極構造物(５)のリード基材(50)の延在方向(92)がキャリアバー(６)の延在方向(93)に対して略平行となる姿勢で取り付ける。このとき、リード基材(50)の両端部がキャリアバー(６)に固定される。
【００４６】
図９及び図１０はそれぞれ、素子作製工程の第２工程の内、コンデンサ素子(１)の誘電体層(13)及び電解質層(14)を形成する工程の説明に用いられる図である。図９に示す様に、誘電体層(13)を形成する工程では、リン酸水溶液やアジピン酸水溶液等の電解溶液(701)で充たされた処理槽(71)を用意する。ここで、電解溶液(701)中には、陰極板(710)が設けられている。その後、キャリアバー(６)を操作して、陽極構造物(５)を電解溶液(701)に浸漬させる。そして、キャリアバー(６)と陰極板(710)との間に電圧Ｖを印加する。これにより、陽極構造物(５)の外周面が電気化学的に酸化（陽極酸化）され、その結果、陽極構造物(５)の外周面上に誘電体層(13)が形成される。
【００４７】
次に、電解質層(14)を形成する工程では、誘電体層(13)上に、導電性を有するプレコート層（図示せず）を形成する。ここで、該プレコート層は、化学重合法を用いて導電性高分子等の導電性材料から構成される。
【００４８】
電解質層(14)を形成する工程では更に、図１０に示す様に、導電性ポリマー等の導電性有機材料からなる電解重合液(702)で充たされた処理槽(72)を用意する。ここで、電解重合液(702)中には、陰極板(720)が設けられている。その後、キャリアバー(６)を操作して、陽極構造物(５)を電解重合液(702)に浸漬させる。そして、電解重合液(702)中にて各陽極体(11)上のプレコート層に外部電極(61)を電気的に接触させ、又、外部電極(61)と陰極板(720)との間に電圧Ｖを印加することによって、プレコート層に定電流を流す。これにより、該プレコート層上に電解重合膜が形成され、その結果、該誘電体層(13)上に、プレコート層と該プレコート層上の電解重合膜とによって構成された電解質層(14)が形成される。そして、電解質層(14)の形成後、陽極構造物(５)をキャリアバー(６)から取り外す。
【００４９】
図１１（ａ）〜図１１（ｄ）は、素子作製工程の第２工程の内、コンデンサ素子(１)の陰極層(15)を形成する工程の説明に用いられる図である。図１１（ａ）に示す様に、この工程では先ず、カーボンペースト(703)で充たされた処理槽(73)を用意する。そして、陽極構造物(５)を、カーボンペースト(703)の液面(703a)に対してリード基材(50)の延在方向(92)が略平行となる姿勢で配置する。このとき、陽極構造物(５)は、リード基材(50)をその中心軸回りに回転させることが可能な回転装置(８)に設置される。その後、図１１（ｂ）に示す様に、処理槽(73)を上昇させて、リード基材(50)をカーボンペースト(703)に浸漬させずに各陽極体(11)の片側の端部(111)をカーボンペースト(703)に浸漬させる。
【００５０】
次に、図１１（ｃ）に示す様に、処理槽(73)を降下させた後、陽極構造物(５)の前記姿勢を維持したまま、回転装置(８)を駆動させて、リード基材(50)をその中心軸回りに約１８０°回転させる。その後、図１１（ｄ）に示す様に、処理槽(73)を上昇させて、リード基材(50)をカーボンペースト(703)に浸漬させずに各陽極体(11)の他方の端部(112)をカーボンペースト(703)に浸漬させる。
【００５１】
これにより、図１２に示す様に、陽極構造物(５)の各陽極体(11)には、電解質層(14)の外周面上の所定領域（即ち、図３に示される第２領域Ｒ２）にカーボン層(151)が形成される一方、電解質層(14)の外周面にはカーボン層(151)のない帯状の第１領域Ｒ１が形成される。ここで、第１領域Ｒ１の両縁は、互いに平行であって直線状に延びている。又、リード基材(50)上にはカーボン層(151)が形成されない。
【００５２】
カーボン層(151)の形成後、銀ペースト(704)で充たされた処理槽(74)を用意する（図１１（ａ）参照）。その後、上述したカーボン層(151)の形成と同様の操作を実行する。これにより、陽極構造物(５)のカーボン層(151)上に銀ペースト層(152)が形成され、その結果、電解質層(14)の外周面上の所定領域（即ち、図３に示される第２領域Ｒ２）に陰極層(15)が形成される（図１２参照）。
【００５３】
図１３（ａ）及び図１３（ｂ）は、素子作製工程の第３工程の説明に用いられる斜視図である。図１３（ａ）に示す様に、素子作製工程の第３工程では、リード基材(50)に対して切断加工を施すことにより、リード基材(50)を複数の所定位置Ｐ〜Ｐにて切断する。これにより、図１３（ｂ）に示す如く、リード基材(50)から複数の陽極リード(12)〜(12)が形成されると共に、陽極体(11)(11)どうしが切り離され、これによって、２つの引出し部(121)(121)を有する複数のコンデンサ素子体(51)〜(51)が作製される。
【００５４】
尚、各コンデンサ素子体(51)においては、２つ引出し部(121)(121)の外周面（切断面を除く）には、誘電体層(13)と電解質層(14)が形成されたままである。そこで、上記第３工程の実行後、各コンデンサ素子体(51)について、陽極リード(12)の２つの引出し部(121)(121)に対してレーザ剥離を施すことにより、各引出し部(121)の先端部の表面を露出させる。これにより、図１〜図３に示されるコンデンサ素子(１)が完成する。
【００５５】
図１４は、端子作製工程及び素子搭載工程の説明に用いられる斜視図である。図１４に示す様に、端子作製工程では、陽極端子(３)及び２つの第１電気接続部(31)(31)となる１枚の第１金属板(52)に対して折り曲げ加工を施す。具体的には、第１金属板(52)は、陽極端子(３)となる第１平板部(521)と、第１電気接続部(31)(31)となる２つの第２平板部(522)(522)とを有しており、折り曲げ加工により、各第２平板部(522)を第１平板部(521)に対して逆Ｌ字状に屈曲変形させる。これにより、第１金属板(52)の第１平板部(521)からは陽極端子(３)が形成され、第１金属板(52)の各第２平板部(522)からは第１電気接続部(31)が形成される。
【００５６】
端子作製工程では更に、陰極端子(４)及び第２電気接続部(41)となる１枚の第２金属板(53)に対して折り曲げ加工を施す。具体的には、第２金属板(53)は、陰極端子(４)となる第１平板部(531)と、第２電気接続部(41)となる第２平板部(532)とを有しており、折り曲げ加工により、該第２平板部(532)を第１平板部(531)に対して逆Ｌ字状に屈曲変形させる。これにより、第２金属板(53)の第１平板部(531)からは陰極端子(４)が形成され、第２金属板(53)の第２平板部(532)からは第２電気接続部(41)が形成される。
【００５７】
次に、素子搭載工程では、図１４に示す様に、陽極端子(３)及び陰極端子(４)上にコンデンサ素子を搭載する。ここで、陽極端子(３)は、陰極端子(４)から所定方向(91)へ離間した位置に配置されると共に、第２電気接続部(41)が２つの第１電気接続部(31)(31)の間に位置する様に配置されている。そして、素子搭載工程では、コンデンサ素子(１)を、その陽極リード(12)の２つの引出し部(121)(121)をそれぞれ前記所定方向(91)に対して略垂直な方向及びそれとは反対の方向へ向けた姿勢で搭載する。このとき、コンデンサ素子(１)の素子本体の下面(1c)と第２電気接続部(41)との間には、導電性接着剤(42)を介在させる（図２及び図３参照）。これにより、コンデンサ素子(１)の陰極層(15)と陰極端子(４)とが、第２電気接続部(41)と導電性接着剤(42)とを介して互いに電気的に接続されることになる。又、電解質層(14)の第１領域Ｒ１と第２電気接続部(41)との間にも導電性接着剤(42)が介在することになる（図３参照）。よって、導電性接着剤(42)の一部が、電解質層(14)の第１領域Ｒ１を被覆してコンデンサ素子(１)の陰極層(15)として機能することになる。
【００５８】
コンデンサ素子(１)の上記姿勢によれば、各第１電気接続部(31)には、これに対応する陽極リード(12)の引出し部(121)が接触することになる（図６参照）。そして、素子搭載工程では更に、陽極リード(12)の各引出し部(121)と第１電気接続部(31)との接触面に溶接を施す。これにより、該接触面に、陽極リード(12)と第１電気接続部(31)とを互いに電気的に接合する接合部(32)が形成され（図２参照）、その結果、陽極リード(12)の各引出し部(121)と陽極端子(３)とが、該引出し部(121)に対応する第１電気接続部(31)と接合部(32)とを介して互いに電気的に接続されることになる。
【００５９】
素子搭載工程の実行後、外装形成工程において、モールド成形技術を用いることにより、図１〜図３に示す如くコンデンサ素子(１)を外装部材(２)によって被覆する。ここで、外装部材の材料には、エポキシ樹脂等の樹脂が用いられる。
【００６０】
上記製造方法の素子作製工程においては、第３工程にて陽極体(11)(11)どうしを切り離すことにより複数のコンデンサ素子(１)〜(１)が形成され、第３工程を実行する迄は、複数の陽極構成体(10)〜(10)を、一体の構造物である陽極構造物(５)によって取り扱うことが出来る。従って、キャリアバー等の補助具がなくても、複数の陽極構成体(10)〜(10)を纏めて取り扱うことが出来る。よって、上記素子作製工程によれば、従来のコンデンサ素子の製造方法、即ち、複数の陽極構成体を纏めて取り扱うためにはキャリアバー等の補助具が必ず必要であった形態に比べて、コンデンサ素子(１)を効率的に製造することが可能である。
【００６１】
又、上記製造方法の素子作製工程においては、第２工程の取付け工程にてリード基材(50)の両端部をキャリアバー(６)に固定するだけで、キャリアバー(６)に陽極構造物(５)を取り付けることが出来る。よって、該素子作製工程によれば、従来のコンデンサ素子の製造方法、即ち、複数の陽極構成体をキャリアバーに１つずつ取り付ける必要があった形態に比べて、コンデンサ素子(１)を効率的に製造することが可能である。
【００６２】
更に、上記製造方法の素子作製工程によれば、陰極層(15)を形成する工程において、リード基材(50)の外周面上に陰極層(15)が形成されることがない。従って、作製されるコンデンサ素子(１)において、陽極リード(12)の２つの引出し部(121)(121)の外周面には陰極層(15)が形成されることがない。よって、固体電解コンデンサの製造過程において、コンデンサ素子(１)の陽極リード(12)の各引出し部(121)にレーザ剥離等の加工を施した場合でも、陽極リード(12)と陰極層(15)とが電気的に短絡することがなく、従ってショートの発生が低減されることになる。
【００６３】
又、陰極層(15)を形成する上記工程によれば、陽極体(11)の第１面(11a)及び第２面(11b)の両面に陰極層(15)を形成することが可能である。よって、作製されるコンデンサ素子(１)においては、従来のコンデンサ素子（図１９参照）、即ち、陽極体の外周面の内、陽極リードが引き出されている面上には陰極層が形成されていない構成に比べて、低ＥＳＲ化を実現し易い。
【００６４】
上記固体電解コンデンサにおいては、電解質層(14)の外周面上の第１領域Ｒ１には、陰極層(15)が形成されていない。従って、コンデンサ素子(１)の素子本体の下面(1c)には、電解質層(14)の第１領域Ｒ１が露出している。その一方で、上記固体電解コンデンサにおいては、電解質層(14)の第１領域Ｒ１と第２電気接続部(41)との間に導電性接着剤(42)が介在し、これによって、導電性接着剤(42)の一部が、電解質層(14)の第１領域Ｒ１を被覆してコンデンサ素子(１)の陰極層(15)として機能している。よって、コンデンサ素子(１)と陰極端子(４)との電気的な接続面積が増大し、これにより、上記固体電解コンデンサにおいて更なる低ＥＳＲ化が実現されている。
【００６５】
更に又、上記製造方法の素子作製工程においては、隣接する２つの陽極体(11)(11)間のリード基材(50)の長さ寸法ｄが、コンデンサ素子(１)の陽極リード(12)の２つの引出し部(121)(121)の長さ寸法の和より、素子作製工程の第３工程（図１３(ａ)及び図１３（ｂ）参照）で必要とされる切断代の分だけ長く設定されているに過ぎない。従って、該第３工程にてリード基材(50)に切断加工を施した際に発生する切り屑を削減することが出来る。従って、リード基材(50)の使用量が削減されることになる。
【００６６】
上記固体電解コンデンサにおいては、陽極端子面(30)の形状を従来の形状から変更しなくても、陽極リード(12)の２つの引出し部(121)(121)と陽極端子面(30)との間の距離Ｌ（図４参照）をそれぞれ略同一にすることが出来る。従って、該距離Ｌが、陽極体の表面の１箇所から陽極リードが引き出されているに過ぎない従来の固体電解コンデンサについての陽極リードの引出し部と陽極端子面との間の距離と同程度となる様に、コンデンサ素子(１)を陽極端子(３)及び陰極端子(４)上に搭載することにより、陽極リード(12)の引出し部(121)の本数が増えた分、陽極体(11)と陽極端子面(30)間に生じる電気抵抗及び／又はインダクタンスが小さくなり、その結果、固体電解コンデンサの低ＥＳＲ化及び／又は低ＥＳＬ化が実現されることになる。
【００６７】
又、上記固体電解コンデンサにおいては、陽極端子(３)の上面からの陽極リード(12)の引出し部(121)の高さ位置に応じて、各第１電気接続部(31)の高さ寸法Ｈ（図５参照）を変化させることが出来る。従って、陽極端子(３)の上面からの陽極リード(12)の引出し部(121)の高さ位置に応じて各第１電気接続部(31)の高さ寸法Ｈを調整することによって、該第１電気接続部(31)の先端部(310)を、これに対応する陽極リード(12)の引出し部(121)に確実に接触させることが出来る。よって、上記固体電解コンデンサによれば、陽極端子(３)と陽極リード(12)の各引出し部(121)との電気的な接続状態が良好である。
【００６８】
更に又、上記固体電解コンデンサによれば、陽極端子(３)となる第１金属板(52)に対して折り曲げ加工を施すことにより、２つの第１電気接続部(31)(31)を容易に形成することが出来る。又、第１金属板(52)の折り曲げ位置を変えるだけで、各第１電気接続部(31)の高さ寸法Ｈを容易に変化させることが出来る。
【００６９】
図１５（ａ）及び図１５（ｂ）は、上記素子作製工程の第２工程の内、コンデンサ素子(１)の陰極層(15)を形成する工程について、その変形例の説明に用いられる図である。カーボン層(151)を形成する工程において、図１５（ａ）に示す様に、回転装置(８)を駆動させてリード基材(50)をその中心軸回りに回転させ、その後、図１５（ｂ）に示す様に、その回転状態を維持したまま、処理槽(73)を上昇させてもよい。このとき、処理槽(73)は、リード基材(50)がカーボンペースト(703)に浸漬することがなく、且つ、リード基材(50)の回転によって各陽極体(11)の両端部(111)(112)がカーボンペースト(703)内を通過することとなる高さ位置まで上げられる。これにより、各陽極体(11)の両端部(111)(112)がカーボンペースト(703)に浸漬することになる。銀ペースト層(152)を形成する工程においても、カーボン層(151)の形成と同様の操作を実行することが出来る。
【００７０】
上記変形例に係る方法によれば、図１６又は図１７に示す如く、陽極構造物(５)の各陽極体(11)には、電解質層(14)の外周面上の所定領域に陰極層(15)が形成される一方、電解質層(14)の外周面には陰極層(15)のない領域Ｒ３が形成されることになる。そして、この領域Ｒ３の形状は、図１８に示された距離Ｔ１と距離Ｔ２との大小関係に応じて決まる。ここで、距離Ｔ１は、リード基材(50)の中心軸(501)から、電解質層(14)の外周面の内、陽極体(11)の側面(11c)を覆った領域（図３も参照）までの最小距離である。距離Ｔ２は、リード基材(50)の中心軸(501)から処理液(703)の液面(703a)までの距離である。
【００７１】
具体的には、距離Ｔ１が距離Ｔ２より小さい場合（Ｔ１＜Ｔ２）、前記領域Ｒ３は、電解質層(14)の外周面上を帯状に延びた形状を有し、又、図１６に示す様に、電解質層(14)の外周面の内、陽極体(11)の第１面(11a)及び第２面(11b)を覆った領域（図２も参照）上において、該領域Ｒ３の両縁が、リード基材(50)の中心軸(501)を中心とした円弧形状を描くことになる。
【００７２】
一方、距離Ｔ１が距離Ｔ２より大きい場合（Ｔ１＞Ｔ２）、前記領域Ｒ３は、電解質層(14)の外周面の内、陽極体(11)の側面(11c)を覆った領域（図３も参照）上には現れず、その一方で、図１７に示す様に、該領域Ｒ３は、電解質層(14)の外周面の内、陽極体(11)の第１面(11a)及び第２面(11b)を覆った領域（図２も参照）上において、陽極リード(50)の中心軸(501)を中心として略円状に拡がった形状を有することになる。この場合、作製されるコンデンサ素子(１)において、電解質層(14)の外周面の内、陰極層(15)によって覆われた領域の面積が大きくなり、その結果、作製される固体電解コンデンサにおいて更なる低ＥＳＲ化が実現されることになる。
【００７３】
尚、本発明の各部構成は上記実施形態に限らず、特許請求の範囲に記載の技術的範囲内で種々の変形が可能である。例えば、固体電解コンデンサの各種構成について、これらの形状及び寸法は、上記実施形態及び図面に示したものに限らず、特許請求の範囲に記載の技術的範囲内で種々の変形が可能である。
【００７４】
上記固体電解コンデンサにおいて、陽極リード(12)の各引出し部(121)と陽極端子(３)とは、導電性を有する枕部材を介して互いに電気的に接続されていてもよい。又、上記固体電解コンデンサにおいて、コンデンサ素子(１)には、２本の陽極リード(12)(12)が陽極体(11)に植立されることによって該陽極リード(12)(12)がそれぞれ陽極体(11)の第１面(11a)と第２面(11b)とから引き出されているコンデンサ素子が採用されていてもよい。
【符号の説明】
【００７５】
(１)  コンデンサ素子
(1a)  第１引出し面
(1b)  第２引出し面
(1c)  下面
(10)  陽極構成体
(11)  陽極体
(11a) 第１面
(11b) 第２面
(111) 端部
(112) 端部
(12)  陽極リード
(121) 引出し部
(13)  誘電体層
(14)  電解質層
(15)  陰極層
(２)  外装部材
(2a)  下面
(３)  陽極端子
(30)  陽極端子面
(31)  第１電気接続部
(310) 先端部
(32)  接合部
(４)  陰極端子
(40)  陰極端子面
(41)  第２電気接続部
(42)  導電性接着剤
(５)  陽極構造物
(50)  リード基材
(51)  コンデンサ素子体
(52)  第１金属板
(521) 第１平板部
(522) 第２平板部
(53)  第２金属板
(531) 第１平板部
(532) 第２平板部
(６)  キャリアバー
(701) 電解溶液
(702) 電解重合液
(703) カーボンペースト（処理液）
(704) 銀ペースト（処理液）
(８)  回転装置
Ｒ０  所定領域
Ｒ１  第１領域
Ｒ２  第２領域
【図１】
2012033603.tif 000003
【図２】
2012033603.tif 000004
【図３】
2012033603.tif 000005
【図４】
2012033603.tif 000006
【図５】
2012033603.tif 000007
【図６】
2012033603.tif 000008
【図７】
2012033603.tif 000009
【図８】
2012033603.tif 000010
【図９】
2012033603.tif 000011
【図１０】
2012033603.tif 000012
【図１１】
2012033603.tif 000013
【図１２】
2012033603.tif 000014
【図１３】
2012033603.tif 000015
【図１４】
2012033603.tif 000016
【図１５】
2012033603.tif 000017
【図１６】
2012033603.tif 000018
【図１７】
2012033603.tif 000019
【図１８】
2012033603.tif 000020
【図１９】
2012033603.tif 000021